(57)【特許請求の範囲】
【請求項１】
ケースと、
前記ケースに設けられ、電池パックを収容可能な電池収容部と、
前記電池収容部を覆うように前記ケースに取り付けられる平面略長方形のカバーと、
前記カバーにおける前記ケースとは反対側の表側の第１長辺に設けられた段差部と、
前記ケースおよび前記カバーを相互に固定する固定手段と、を備え、
前記固定手段が、前記ケースに設けられ、前記ケースの厚み方向に対して交差するとともに前記カバーとは反対側を向き、かつ、前記ケースの外方側の端部が開放しているケース側係合面と、前記カバーにおける前記ケース側の裏側に設けられ、前記ケース側係合面に係合するとともに、前記カバーの内方側の端部が開放しているカバー側係合面と、をそれぞれ複数有するとともに、前記段差部を始点として前記カバーの短辺を経由して前記第１長辺とは反対側の第２長辺の終点まで前記ケースおよび前記カバーの境界線に沿って所定の間隔で設けられ、
前記ケース側係合面および前記カバー側係合面のうちの少なくとも一方が、前記境界線に沿った前記段差部に向かう先細り形状である電子機器。
【請求項２】
ケースと、
前記ケースに設けられ、電池パックを収容可能な電池収容部と、
前記電池収容部を覆うように前記ケースに取り付けられる平面略長方形のカバーと、
前記カバーにおける前記ケースとは反対側の表側の第１長辺に設けられた段差部と、
前記ケースおよび前記カバーを相互に固定する固定手段と、
前記カバーの短辺側に設けられた規制手段と、を備え、
前記固定手段が、前記ケースに設けられ、前記ケースの厚み方向に対して交差するとともに前記カバーとは反対側を向き、かつ、前記ケースの外方側の端部が開放しているケース側係合面と、
前記カバーにおける前記ケース側の裏側に設けられ、前記ケース側係合面に係合するとともに、前記カバーの内方側の端部が開放しているカバー側係合面と、をそれぞれ複数有するとともに、前記段差部を始点として前記カバーの短辺を経由して前記第１長辺とは反対側の第２長辺の終点まで前記ケースおよび前記カバーの境界線に沿って所定の間隔で設けられ、
前記規制手段が、
前記ケースに設けられ、前記ケースの厚み方向に沿うケース側規制部と、
前記カバーにおける前記ケース側の裏側に設けられ、前記ケース側規制部に接触するカバー側規制部とを有するとともに、当該規制手段の近傍の前記固定手段における前記ケース側係合面および前記カバー側係合面の相対的な係合位置を維持する電子機器。
【発明の詳細な説明】
【技術分野】
【０００１】
本発明は、ケースに電池パックを収容可能な電池収容部が設けられ、電池収容部を覆うようにケースに平面略長方形のカバーが取り付けられた電子機器に関する。
【背景技術】
【０００２】
携帯電話機等の電子機器カバーとしての電池カバーが筐体本体に対して嵌合し、筐体本体の裏側の全体を覆っているものが知られている（例えば、特許文献１）。この文献においては、電池カバーを取り外す際には図中のＳの方向にスライドさせている。
【先行技術文献】
【特許文献】
【０００３】
【特許文献１】特開２００７−３３５２０１号公報（要約、図２、３参照）
【発明の概要】
【発明が解決しようとする課題】
【０００４】
ところで、図１９（Ａ）に示すように、電子機器１００として、ケース１０１に係止されたカバー１０２を一方の長辺１０１Ａを軸として反対側の長辺１０１Ｂ側から取り外すように形成したい場合がある。
このような電子機器１００の場合には、ケース１０１からカバー１０２を外す際に、一方の長辺１０２Ａを軸として反対側の長辺１０２Ｂ側から固定部１０３、すなわち複数の半円状小凸部１０４および複数の半円状小凹部１０５（図１９（Ｂ）参照）の係合を順番に解除する。
【０００５】
図１９（Ｃ）に示すように、固定部１０３の係合を順番に解除することにより、ケース１０１からカバー１０２を取り外す際に、一対の短辺１０２Ｃに対して平行な線１０７を中心として湾曲するようにカバー１０２が撓むことが考えられる。
カバー１０２が湾曲するように撓むことにより、図１９（Ｄ）に示すように、ケース１０１の半円状小凸部１０４にカバー１０２の半円状小凹部１０５が食い込んでカバー１０２が外れ難くなる。
このため、ケース１０１に対するカバー１０２の脱着に手間がかかることが考えられる。
【０００６】
本発明は、前述した課題を解決するためになされたものであり、その目的は、ケースに対するカバーの脱着を容易にできる電子機器を提供することにある。
【課題を解決するための手段】
【０００７】
本発明の電子機器は、ケースと、前記ケースに設けられ、電池パックを収容可能な電池収容部と、前記電池収容部を覆うように前記ケースに取り付けられる平面略長方形のカバーと、前記カバーにおける前記ケースとは反対側の表側の第１長辺に設けられた段差部と、前記ケースおよび前記カバーを相互に固定する固定手段と、を備え、前記固定手段が、前記ケースに設けられ、前記ケースの厚み方向に対して交差するとともに前記カバーとは反対側を向き、かつ、前記ケースの外方側の端部が開放しているケース側係合面と、前記カバーにおける前記ケース側の裏側に設けられ、前記ケース側係合面に係合するとともに、前記カバーの内方側の端部が開放しているカバー側係合面と、をそれぞれ複数有するとともに、前記段差部を始点として前記カバーの短辺を経由して前記第１長辺とは反対側の第２長辺の終点まで前記ケースおよび前記カバーの境界線に沿って所定の間隔で設けられ、前記ケース側係合面および前記カバー側係合面のうちの少なくとも一方が、前記境界線に沿った前記段差部に向かう先細り形状である。
【０００８】
固定手段のケース側係合面およびカバー側係合面を、段差部を始点としてカバーの短辺を経由して第１長辺とは反対側の第２長辺の終点まで所定の間隔で設けた。
そして、ケース側係合面およびカバー側係合面のうちの少なくとも一方を段差部に向かう先細り形状とした。
【０００９】
このように、ケース側係合面およびカバー側係合面のうちの少なくとも一方を先細り形状とすることにより、先細り形状の部位からケース側係合面およびカバー側係合面の係合を円滑に外すことができる。
さらに、ケース側係合面およびカバー側係合面を、段差部を始点として第２長辺の終点まで所定の間隔で設けることにより、始点から終点までケース側係合面およびカバー側係合面を順番に外すことができる。
【００１０】
また、本発明の電子機器は、ケースと、前記ケースに設けられ、電池パックを収容可能な電池収容部と、前記電池収容部を覆うように前記ケースに取り付けられる平面略長方形のカバーと、前記カバーにおける前記ケースとは反対側の表側の第１長辺に設けられた段差部と、前記ケースおよび前記カバーを相互に固定する固定手段と、前記カバーの短辺側に設けられた規制手段と、を備え、前記固定手段が、前記ケースに設けられ、前記ケースの厚み方向に対して交差するとともに前記カバーとは反対側を向き、かつ、前記ケースの外方側の端部が開放しているケース側係合面と、前記カバーにおける前記ケース側の裏側に設けられ、前記ケース側係合面に係合するとともに、前記カバーの内方側の端部が開放しているカバー側係合面と、をそれぞれ複数有するとともに、前記段差部を始点として前記カバーの短辺を経由して前記第１長辺とは反対側の第２長辺の終点まで前記ケースおよび前記カバーの境界線に沿って所定の間隔で設けられ、前記規制手段が、前記ケースに設けられ、前記ケースの厚み方向に沿うケース側規制部と、前記カバーにおける前記ケース側の裏側に設けられ、前記ケース側規制部に接触するカバー側規制部とを有するとともに、当該規制手段の近傍の前記固定手段における前記ケース側係合面および前記カバー側係合面の相対的な係合位置を維持する。
【００１１】
ケース側係合面およびカバー側係合面のうちの少なくとも一方を先細り形状としてケース側係合面およびカバー側係合面の係合を円滑に外すことができる。
さらに、ケース側係合面およびカバー側係合面を始点から終点まで順番に外すことができる。
【００１２】
加えて、カバーの短辺側に規制手段としてケース側規制部およびカバー側規制部を備えた。ケース側規制部およびカバー側規制部を備えることにより、ケース側規制部およびカバー側規制部でケース側係合面およびカバー側係合面の相対的な係合位置を維持するようにした。
よって、ケース側係合面にカバー側係合面が食い込むことを防ぐことができる。
これにより、ケース側係合面およびカバー側係合面の係合を容易に外すことができる。
【発明の効果】
【００１３】
本発明の電子機器によれば、ケース側係合面およびカバー側係合面のうちの少なくとも一方を先細り形状とすることにより、先細り形状の部位からケース側係合面およびカバー側係合面の係合を円滑に、かつ容易に外すことができる。
加えて、ケース側係合面およびカバー側係合面を、段差部を始点として第２長辺の終点まで所定の間隔で設けることにより、始点から終点までケース側係合面およびカバー側係合面を順番に外すことができるのでケースに対するカバーの脱着を容易にできる。
【図面の簡単な説明】
【００１４】
【図１】本発明に係る電子機器を示す斜視図
【図２】図１の電子機器のカバーを途中まで外した状態を示す斜視図
【図３】図１の電子機器をケースの第１長辺側から見た状態を示す分解斜視図
【図４】図１の電子機器をケースの第２長辺側から見た状態を示す分解斜視図
【図５】図１のＩ−Ｉ線断面図
【図６】図１のＩＩ−ＩＩ線断面図
【図７】図１のＩＩＩ−ＩＩＩ線断面図
【図８】図３のＩＶ部拡大図
【図９】図８のＶ部拡大図
【図１０】図８のＶＩ部拡大図
【図１１】図３のＶＩＩ部拡大図
【図１２】図１１のＶＩＩＩ部拡大図
【図１３】図１１のＩＸ部拡大図
【図１４】図３のＸ矢視図
【図１５】図４のＸＩ部拡大図
【図１６】図１のＸＩＩ−ＸＩＩ線断面図
【図１７】図１のＸＩＩＩ−ＸＩＩＩ線断面図
【図１８】本発明に係る電子機器の変形例を示す斜視図
【図１９】（Ａ）は本発明に係る電子機器の解決しようとする課題を説明するための斜視図、（Ｂ）は（Ａ）のＸＩＶ−ＸＩＶ線断面図、（Ｃ）は従来の電子機器のケースからカバーを外す例を示す斜視図、（Ｄ）は（Ｃ）のＸＶ−ＸＶ線断面図
【発明を実施するための形態】
【００１５】
以下、本発明の実施形態に係る電子機器について図面を参照して説明する。
【００１６】
図１に示すように、本発明の実施形態である電子機器１０は、ケース１１と、ケース１１に設けられた電池収容部１２と、電池収容部１２を覆う平面略長方形のカバー１４とを備えている。電子機器１０の具体例としては、例えば、スマートフォンを含む携帯電話機などが考えられる。
ケース１１およびカバー１４で電子機器１０の筐体が形成されている。
【００１７】
さらに、電子機器１０は、カバー１４の第１カバー長辺（第１長辺）１６に設けられた段差部１５と、ケース１１およびカバー１４を相互に固定する固定手段２０（図３参照）と、カバー１４の一対のカバー短辺（短辺）１８，１９側に設けられた規制手段２２（図３参照）とを備えている。
図２に示すように、段差部１５に指を掛けてカバー１４を矢印方向に引き上げることにより、カバー１４をケース１１から外すことができる。
【００１８】
図３に示すように、ケース１１は、平面略長方形の矩形体状に形成され、カバー１４に対向する表面１１Ａに電池収容部１２が形成されている。
このケース１１は、第１ケース長辺（第１長辺）２６、第２ケース長辺（第２長辺）２７および一対のケース短辺（短辺）２８，２９で平面略長方形に形成されている。
【００１９】
電池収容部１２は、ケース１１のうちカバー１４に対向する表面１１Ａに形成され、電池パック１３を収容可能な略矩形状の凹部である。
【００２０】
カバー１４は、電池収容部１２を覆うようにケース１１に脱着可能に取り付けられている。
このカバー１４は、第１カバー長辺１６、第２カバー長辺（第２長辺）１７および一対のカバー短辺１８，１９で平面略長方形に形成され、ケース１１とは反対側の表側１４Ａの第１カバー長辺１６に段差部１５が設けられている。
【００２１】
段差部１５は、カバー１４におけるケース１１とは反対側の表側１４Ａの第１カバー長辺１６に設けられている。
この段差部１５は、ケース１１からカバー１４を外す際に指掛け可能に凹状に形成されている。
【００２２】
図３、図４に示すように、固定手段２０は、ケース１１およびカバー１４を相互に固定する手段である。
この固定手段２０は、段差部１５を始点としてカバー１４の一対のカバー短辺１８，１９を経由して第２カバー長辺１７の中央部付近のカバー終点１７Ａまでケース１１およびカバー１４の境界線３０（図１参照）に沿って矢印Ａ，Ｂ方向に向けて所定の間隔で設けられている。
第２カバー長辺１７は、第１カバー長辺１６とは反対側の長辺である。
以下、固定手段２０について詳しく説明する。
【００２３】
すなわち、固定手段２０は、ケース１１の周辺に沿ってＡケース側係合面３１、Ｂケース側係合面３２、Ｃケース側係合面３３およびＤケース側係合面３４がそれぞれ複数設けられている。
また、固定手段２０は、カバー１４の周辺に沿ってＡカバー側係合面４１、Ｂカバー側係合面４２、Ｃカバー側係合面４３およびＤカバー側係合面４４がそれぞれ複数設けられている。
【００２４】
先ず、固定手段２０のＡケース側係合面３１〜Ｄケース側係合面３４について説明する。
第１ケース長辺２６に沿って複数のＡケース側係合面３１が所定の間隔で設けられている。
複数のＡケース側係合面３１は、第１ケース長辺２６のうち段差部１５に相当するケース始点２６Ａ、ケース始点２６Ａの両側の側部２６Ｂ，２６Ｃ、一方の側部２６Ｂ側の側部２６Ｄ、および側部２６Ｄ側の側部（角部）２６Ｅに所定の間隔で設けられている。
複数のＡケース側係合面３１は、図５に示すように、ケース１１の厚み方向に対して交差するとともにカバー１４とは反対側を向き、かつ、ケース１１の外方側の端部３１Ａが開放されている。
【００２５】
また、図３に示すように、一方のケース短辺２８に沿って複数のＢケース側係合面３２が所定の間隔で設けられている。
複数のＢケース側係合面３２は、一方のケース短辺２８のうち第１ケース長辺２６寄りの側部２８Ａ、および第２ケース長辺２７寄りの側部２８Ｂに所定の間隔で設けられている。
複数のＢケース側係合面３２は、図６に示すように、ケース１１の厚み方向に対して交差するとともにカバー１４とは反対側を向き、かつ、ケース１１の外方側の端部３２Ａが開放されている。
【００２６】
さらに、図３に示すように、他方のケース短辺２９に沿って複数のＣケース側係合面３３が所定の間隔で設けられている。
複数のＣケース側係合面３３は、他方のケース短辺２９のうち第１ケース長辺２６寄りの側部２９Ａ、および第２ケース長辺２７寄りの側部２９Ｂに所定の間隔で設けられている。
複数のＣケース側係合面３３は、図７に示すように、ケース１１の厚み方向に対して交差するとともにカバー１４とは反対側を向き、かつ、ケース１１の外方側の端部３３Ａが開放されている。
【００２７】
加えて、図４に示すように、第２ケース長辺２７に沿って複数のＤケース側係合面３４が所定の間隔で設けられている。
複数のＤケース側係合面３４は、第２ケース長辺２７のうち中央部（終点）２７Ａ、中央部２７Ａの両側の側部２７Ｂ，２７Ｃ、両側の側部２７Ｂ，２７Ｃの両側の側部（両角部）２７Ｄ，２７Ｅに所定の間隔で設けられている。
複数のＤケース側係合面３４は、図５に示すＡケース側係合面３１と同様に、ケース１１の厚み方向に対して交差するとともにカバー１４とは反対側を向き、かつ、ケース１１の外方側の端部（図示せず）が開放されている。
【００２８】
すなわち、図３、図４に示すように、Ａケース側係合面３１〜Ｄケース側係合面３４は、第１ケース長辺２６のケース始点２６Ａからケース短辺２８，２９を経由して第２ケース長辺２７のケース終点２７Ａまで境界線３０（図１参照）に沿って矢印Ａ，Ｂ方向に所定の間隔で設けられている。
【００２９】
次に、固定手段２０のＡカバー側係合面４１〜Ｄカバー側係合面４４について説明する。
第１カバー長辺１６に沿って複数のＡカバー側係合面４１が所定の間隔で設けられている。
複数のＡカバー側係合面４１は、第１カバー長辺１６のうち段差部１５の近傍部位１６Ａ、段差部１５の両側の側部１６Ｂ，１６Ｃ、一方の側部１６Ｂ側の側部１６Ｄ、および側部１６Ｄ側の側部（角部）１６Ｅに所定の間隔で設けられている。
【００３０】
複数のＡカバー側係合面４１は、図５に示すように、Ａケース側係合面３１に係合するとともに、カバー１４の内方側の端部４１Ａが開放されている。
段差部１５の両側の側部１６Ｂ，１６Ｃ、一方の側部１６Ｂ側の側部１６Ｄ、および側部１６Ｄ側の側部（角部）１６Ｅに設けられたＡカバー側係合面４１は、図８に示すように、境界線３０（図１参照）に沿った段差部１５に向かう先細り形状に形成されている。
【００３１】
図８、図９に示すように、段差部１５の一方側の側部１６Ｂに設けられたＡカバー側係合面４１は、段差部１５に向かう側にテーパ部４１Ｂを有する。
このテーパ部４１Ｂは、段差部１５に向かうにつれて徐々に先細り形状になるように傾斜状に形成されている。
テーパ部４１Ｂは、例えば、傾斜長さ寸法がＡカバー側係合面４１の長さ寸法Ｌの半分（すなわち、Ｌ×（１／２））、傾斜高さ寸法がＡカバー側係合面４１の高さ寸法Ｔの半分（すなわち、Ｔ×（１／２））に形成されている。
【００３２】
図８、図１０に示すように、段差部１５の他方側の側部１６Ｃに設けられたＡカバー側係合面４１は、段差部１５に向かう側にテーパ部４１Ｂを有する。
このテーパ部４１Ｂは、段差部１５に向かうにつれて徐々に先細り形状になるように傾斜状に形成されている。
【００３３】
ここで、図８に示すように、カバー１４を外す際に、カバー１４は段差部１５を始点にして外される。よって、段差部１５の近傍部位１６Ａに設けられたＡカバー側係合面４１は、テーパ部４１Ｂを有していない。
【００３４】
また、図３に示すように、一方のカバー短辺１８に沿って複数のＢカバー側係合面４２が所定の間隔で設けられている。
複数のＢカバー側係合面４２は、一方のカバー短辺１８のうち第１カバー長辺１６寄りの側部１８Ａ、および第２カバー長辺１７寄りの側部１８Ｂに所定の間隔で設けられている。
【００３５】
複数のＢカバー側係合面４２は、図６に示すように、Ｂケース側係合面３２に係合するとともに、カバー１４の内方側の端部４２Ａが開放されている。
複数のＢカバー側係合面４２は、図１１に示すように、境界線３０（図１参照）に沿った段差部１５に向かう先細り形状に形成されている。
【００３６】
図１１、図１２に示すように、カバー短辺１８の側部１８Ａに設けられたＢカバー側係合面４２は、段差部１５（図３参照）に向かう側にテーパ部４２Ｂを有する。
このテーパ部４２Ｂは、段差部１５に向かうにつれて徐々に先細り形状になるように傾斜状に形成されている。
【００３７】
このテーパ部４２Ｂは、例えば、テーパ部４１Ｂと同様に、傾斜長さ寸法がＢカバー側係合面４２の長さ寸法の半分、傾斜高さ寸法がＢカバー側係合面４２の高さ寸法の半分に形成されている。
【００３８】
図１１、図１３に示すように、カバー短辺１８の側部１８Ｂに設けられたＢカバー側係合面４２は、段差部１５（図３参照）に向かう側にテーパ部４２Ｂを有する。
このテーパ部４２Ｂは、段差部１５に向かうにつれて徐々に先細り形状になるように傾斜状に形成されている。
【００３９】
さらに、図３に示すように、他方のカバー短辺１９に沿って複数のＣカバー側係合面４３が所定の間隔で設けられている。
複数のＣカバー側係合面４３は、他方のカバー短辺１９のうち第１カバー長辺１６寄りの側部１９Ａ、および第２カバー長辺１７寄りの側部１９Ｂに所定の間隔で設けられている。
【００４０】
複数のＣカバー側係合面４３は、図７に示すように、Ｃケース側係合面３３に係合するとともに、カバー１４の内方側の端部４３Ａが開放されている。
複数のＣカバー側係合面４３は、図１４に示すように、境界線３０（図１参照）に沿った段差部１５（図３参照）に向かう先細り形状に形成されている。
【００４１】
換言すれば、Ｃカバー側係合面４３は、段差部１５（図３参照）に向かう側にテーパ部４３Ｂを有する。
このテーパ部４３Ｂは、段差部１５に向かうにつれて徐々に先細り形状になるように傾斜状に形成されている。
【００４２】
このテーパ部４３Ｂは、例えば、テーパ部４１Ｂと同様に、傾斜長さ寸法がＣカバー側係合面４３の長さ寸法の半分、傾斜高さ寸法がＣカバー側係合面４３の高さ寸法の半分に形成されている。
【００４３】
加えて、図４に示すように、第２カバー長辺１７に沿って複数のＤカバー側係合面４４が所定の間隔で設けられている。
複数のＤカバー側係合面４４は、第２カバー長辺１７のうちの中央部（カバー終点）１７Ａ、中央部１７Ａの両側の側部１７Ｂ，１７Ｃ、両側の側部１７Ｂ，１７Ｃの両側の側部（両角部）１７Ｄ，１７Ｅに所定の間隔で設けられている。
【００４４】
複数のＤカバー側係合面４４は、図５に示すＡカバー側係合面４１と同様に、Ａケース側係合面３１に係合するとともに、カバー１４の内方側の端部（図示せず）が開放されている。
複数のＤカバー側係合面４４は、図１５に示すように、境界線３０（図１参照）に沿った段差部１５（図３参照）に向かう先細り形状に形成されている。
【００４５】
換言すれば、Ｄカバー側係合面４４は、段差部１５（図４参照）に向かう側にテーパ部４４Ａを有する。
このテーパ部４４Ａは、段差部１５に向かうにつれて徐々に先細り形状になるように傾斜状に形成されている。
【００４６】
このテーパ部４４Ｂは、例えば、テーパ部４１Ｂと同様に、傾斜長さ寸法がＤカバー側係合面４４の長さ寸法の半分、傾斜高さ寸法がＤカバー側係合面４４の高さ寸法の半分に形成されている。
【００４７】
すなわち、図３、図４に示すように、Ａカバー側係合面４１〜Ｄカバー側係合面４４は、第１カバー長辺１６の段差部１５を始点としてカバー短辺１８，１９を経由して第２カバー長辺１７のカバー終点１７Ａまでケース１１およびカバー１４の境界線３０（図１参照）に沿って所定の間隔で設けられている。
【００４８】
以上説明したように、固定手段２０を、段差部１５を始点としてカバー１４の一対のカバー短辺１８，１９を経由してカバー終点１７Ａまで矢印Ａ，Ｂ方向に向けて所定の間隔で設けた。
さらに、Ａカバー側係合面４１〜Ｄカバー側係合面４４を段差部１５に向かう先細り形状とした。
【００４９】
このように、Ａカバー側係合面４１〜Ｄカバー側係合面４４を先細り形状とすることにより、先細り形状の部位からＡケース側係合面３１〜Ｄケース側係合面３４およびＡカバー側係合面４１〜Ｄカバー側係合面４４の係合を容易に外すことができる。
さらに、段差部（始点）１５からカバー終点１７ＡまでＡケース側係合面３１〜Ｄケース側係合面３４およびＡカバー側係合面４１〜Ｄカバー側係合面４４を順番に外すことができるのでケース１１に対するカバー１４の脱着を容易にできる。
【００５０】
さらに、電子機器１０は、前述したように、規制手段２２を備えている。
規制手段２２は、一方のケース短辺２８側に設けられた一対のケース側規制部５２と、一方のカバー短辺１８側に設けられた一対のカバー側規制部５５と、他方のケース短辺２９側に設けられた一対のケース側規制部５３と、他方のカバー短辺１９側に設けられた一対のカバー側規制部５６とを有する。
【００５１】
ケース側規制部５２は、図１６に示すように、ケース１１のうち一方のケース短辺２８側に設けられ、ケース１１の厚み方向に沿うように形成されている。
また、カバー側規制部５５は、カバー１４におけるケース１１側の裏側１４Ｂに設けられ、ケース側規制部５２に接触するように形成されている。
ケース側規制部５２にカバー側規制部５５を接触させることにより、規制手段２２の近傍の固定手段２０におけるＢケース側係合面３２およびＢカバー側係合面４２（図６参照）の相対的な係合位置を維持可能に保持できる。
【００５２】
ケース側規制部５３は、図１７に示すように、ケース１１のうち他方のケース短辺２９側に設けられ、ケース１１の厚み方向に沿うように形成されている。
また、カバー側規制部５６は、カバー１４におけるケース１１側の裏側１４Ｂに設けられ、ケース側規制部５３に接触するように形成されている。
ケース側規制部５３にカバー側規制部５６を接触させることにより、規制手段２２の近傍の固定手段２０におけるＣケース側係合面３３およびＣカバー側係合面４３（図７参照）の相対的な係合位置を維持可能に保持できる。
【００５３】
このように、規制手段２２を備えることにより、Ｂケース側係合面３２およびＢカバー側係合面４２の相対的な係合位置を維持し、かつ、Ｃケース側係合面３３およびＣカバー側係合面４３の相対的な係合位置を維持するようにした。
よって、Ｂケース側係合面３２にＢカバー側係合面４２が食い込むことを防ぐことができ、かつ、Ｃケース側係合面３３にＣカバー側係合面４３が食い込むことを防ぐことができる。
【００５４】
これにより、Ｂケース側係合面３２およびＢカバー側係合面４２の係合を容易に外すことができ、かつ、Ｃケース側係合面３３およびＣカバー側係合面４３の係合を容易に外すことができ、ケース１１に対するカバー１４の脱着を一層容易にできる。
【００５５】
（変形例）
つぎに、実施形態の変形例を図１８に基づいて説明する。
なお、変形例の電子機器６０において実施形態の電子機器１０の構成部材と同一・類似の部材については同じ符号を付して説明を省略する。
変形例の電子機器６０は、実施形態のＡカバー側係合面４１〜Ｄカバー側係合面４４に代えてケース側係合面６２が先細り形状に形成されたもので、その他の構成は実施形態と同様である。
【００５６】
ケース側係合面６２は、ケース６１に設けられ、境界線３０に沿った段差部１５（図１参照）に向かう先細り形状に形成されている。
ケース側係合面６２にカバー６４のカバー側係合面６５が係合される。
変形例の電子機器６０によれば、実施形態の電子機器１０と同様に、先細り形状の部位からケース側係合面６２およびカバー側係合面６５の係合を容易に外すことができる。
【００５７】
なお、本発明に係る電子機器は、前述した実施形態に限定されるものではなく適宜変更、改良等が可能である。
例えば、実施形態では、Ａカバー側係合面４１、Ｂカバー側係合面４２、Ｃカバー側係合面４３およびＤカバー側係合面４４を台形状に形成した例について説明したが、これに限らないで、三角形状等の他の形状に形成することも可能である。
【００５８】
また、実施形態で使用した電子機器、ケース、電池収容部、電池パック、カバー、段差部、固定手段、規制手段、Ａケース側係合面〜Ｄケース側係合面、Ａカバー側係合面〜Ｄカバー側係合面、ケース側規制部およびカバー側規制部等の形状や構成は例示したものに限定するものではなく適宜変更が可能である。
【産業上の利用可能性】
【００５９】
本発明は、電池パックを収容可能な電池収容部がケースに設けられ、ケースにカバーが取り付けられ、カバーで電池収容部を覆うようにした電子機器への適用に好適である。
【符号の説明】
【００６０】
１０，６０  電子機器
１１，６１  ケース
１２  電池収容部
１３  電池パック
１４，６４  カバー
１４Ａ  カバーの表側
１４Ｂ  カバーの裏側
１５  段差部
１６  第１カバー長辺（第１長辺）
１７  第２カバー長辺（第２長辺）
１８，１９  カバー短辺（短辺）
２０  固定手段
２２  規制手段
２６  第１ケース長辺（第１長辺）
２７  第２ケース長辺（第２長辺）
２８，２９  ケース短辺（短辺）
３１〜３４  Ａケース側係合面〜Ｄケース側係合面（ケース側係合面）
４１〜４４  Ａカバー側係合面〜Ｄカバー側係合面（カバー側係合面）
５２  ケース側規制部
５４  カバー側規制部
６２  ケース側係合面
６５  カバー側係合面
【図１】
0005288648.tif 000002
【図２】
0005288648.tif 000003
【図３】
0005288648.tif 000004
【図４】
0005288648.tif 000005
【図５】
0005288648.tif 000006
【図６】
0005288648.tif 000007
【図７】
0005288648.tif 000008
【図８】
0005288648.tif 000009
【図９】
0005288648.tif 000010
【図１０】
0005288648.tif 000011
【図１１】
0005288648.tif 000012
【図１２】
0005288648.tif 000013
【図１３】
0005288648.tif 000014
【図１４】
0005288648.tif 000015
【図１５】
0005288648.tif 000016
【図１６】
0005288648.tif 000017
【図１７】
0005288648.tif 000018
【図１８】
0005288648.tif 000019
【図１９】
0005288648.tif 000020